(57)【要約】      （修正有）【課題】タブレット端末やスマホのタッチパネルをシールドボックス外部から簡単に操作するシールド構造を提供する。【解決手段】本考案のシールド構造は、シールドネットや導電メッシュ、あるいは導電布で覆われたシールド構造内に収納されたタブレット端末３１やスマホのタッチパネルを外部から操作可能とするシールド構造であって、上記シールド構造内のタブレット端末３１やスマホのタッチパネルの上面に所定の空間をおいて柔軟性のあるシールドネット（シールドメッシュ３０）を張り、該シールドネットを指で押すことにより上記タッチパネルを操作可能とした。【選択図】図３
0003205010.tif 000002
【実用新案登録請求の範囲】
【請求項１】
シールドネットやシールドメッシュ、あるいは導電布で覆われたシールド構造内に収納されたタブレット端末やスマホのタッチパネルを外部から操作可能とするシールド構造であって、
上記シールド構造内のタブレット端末やスマホのタッチパネルの上面に所定の空間をおいて柔軟性のあるシールドネットを張り、該シールドネットを指で押すことにより上記タッチパネルを操作可能としたことを特徴とするシールド構造。
【請求項２】
前記シールドネットの素材は、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットであることを特徴とする請求項１記載のシールド構造。
【請求項３】
前記シールド構造が、シールドネットや導電メッシュ、あるいは導電布で形成された袋状のものであり、前記タブレット端末やスマホをアルリル樹脂等で形成された上面が開放された箱内に収納して、該箱を前記袋内に挿入してタッチパネルの上面に前記所定の空間を形成したことを特徴とする請求項１または２記載のシールド構造。
【考案の詳細な説明】
【技術分野】
【０００１】
この考案は、タッチパネルを有するタブレット端末やスマホをシールド状態にして、外部から上記タッチパネルを操作できるようにした電磁波シールドされたタッチパネルの操作構造に関する。
【背景技術】
【０００２】
従来、タブレット端末やスマホの性能試験の時には、外部妨害電波を遮断するため、該タブレット端末やスマホをシールドした環境に置き、性能試験を行っている。このシールド構造には、袋状の導電布やシールドメッシュの内部に収納したものが用いられるが、導電布やシールドメッシュは導電性があり、抵抗皮膜方式、静電容量方式のタッチパネルに直接接触した状態では電位差が生じない、また、超音波表面弾性波方式、光学方式のタッチパネルに袋が直接接触した状態では超音波や光が遮断されるので、外部からタッチパネルの操作ができない欠点があった。このように、タブレット端末やスマホを外部から操作するのは容易ではなく、簡便な操作方法が無かった。
【考案の概要】
【考案が解決しようとする課題】
【０００３】
この考案は、上記従来のシールド構造の欠点を無くし、タブレット端末やスマホをシールド構造において外部から簡単にタッチパネルを操作する構造を提供することを目的とする。
【課題を解決するための手段】
【０００４】
これを解決するため、本考案のシールド構造は、シールドネットや導電メッシュ、あるいは導電布で覆われたシールド構造内に収納されたタブレット端末やスマホのタッチパネルを外部から操作可能とするシールド構造であって、上記シールド構造内のタブレット端末やスマホのタッチパネルの上面に所定の空間をおいて柔軟性のあるシールドネットを張り、該シールドネットを指で押すことにより上記タッチパネルを操作可能としたことを特徴とする。
【０００５】
さらに、前記シールドネットの素材は、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットであることや、あるいは、前記シールド構造が、シールドネットや導電メッシュ、あるいは導電布で形成された袋状のものであり、前記タブレット端末やスマホをアルリル樹脂等で形成された箱内に収納して、該箱を前記袋内に挿入してタッチパネルの上面に前記所定の空間を形成したことを特徴とする。
【考案の効果】
【０００６】
本考案のシールド構造を用いれば、電磁遮蔽状態を保ったままタブレット端末やスマホをシールドボックス外から簡単に操作することができ、外乱電磁波によるタブレット端末やスマホの誤動作を防止できる効果を奏する。
【図面の簡単な説明】
【０００７】
【図１】この考案のシールドボックス操作盤の組立図である。
【図２】この考案のシールドボックス操作盤の全体斜視図である。
【図３】この考案のシールドボックス操作盤の操作概念図である。
【図４】この考案のシールド袋を示す図である。
【図５】この考案のシールド袋のケース挿入時を示す図である。
【図６】この考案のシールド袋の固定蓋装着時を示す図である。
【図７】この考案のシールド袋のケース挿入時の側面図である。
【図８】この考案の他の実施例のシールド袋のケース挿入時を示す図である。
【図９】ＭＧネットの拡大図である。
【図１０】シールドメッシュの拡大図である。
【図１１】導電布の拡大図である。
【図１２】この考案が用いられるシールドボックスの概観図である。
【図１３】図１２のシールドボックスの３面図である。
【考案を実施するための形態】
【０００８】
以下、この考案の実施例を図面によって説明する。
この考案の実施例の操作盤の具体的構造が図１に示される。
【０００９】
アクリルケース１１にアクリルケース用導電生地１２を装着し、導電生地装着済みアクリルケース１３の上面にシールドメッシュ１４を取り付け、その上からステンレスバー１５でメッシュ１４を押さえ込み、固定する。このようにして製作されたシールドボックス構造２０の全体概観図が図２に示される。
【００１０】
図３に、シールドボックス操作盤の動作構造を示す。タッチパネルを用いたタブレット端末やスマホ３１が操作盤２０の内部に取り付けられ、シールドメッシュ３０が操作盤表面に取り付けられる。このとき、タブレット端末のタッチパネルとシールドメッシュ間は１ｃｍ〜３ｃｍとなる。なお、図示されないが、上記操作盤２０のシールドメッシュ３０以外の他の面もすべてシールド素材で覆われている。
【００１１】
図３の矢印３２に示す如く、シールドボックス操作盤のシールドメッシュ３０を指で押して、タブレット端末やスマホ３１のタッチパネルを操作する。シールドメッシュは柔軟性があるので、シールドボックスの外部からタブレット端末やスマホのタッチパネルを操作できる。
【００１２】
図４〜図６には、本考案の他の実施例を示す。
図４において、４０はシールドメッシュからなるシールド素材で作られた袋状のシールド構造である。シールドメッシュは、例えば、図９に示される、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネット（以下、ＭＧネットという。）が好ましい。
【００１３】
４１は、後述するアクリル箱等の挿入口である。なお、４２は内部に収納したタブレット端末やスマホの横側部にある電源ボタン等を押すために設けられた突出部である。図５にアクリル板等で形成され、上部が開放された箱５０が挿入口４１から挿入された状態を示す。
【００１４】
なお、図示されないが、上記箱内にはタブレット端末やスマホが収納されていて、タブレット端末やスマホのタッチパネルの上方に所定の空間が形成され、図３と同様に外部から操作可能になっている。図６は、図５のシールド構造において、シールドメッシュを固定するため、ステンレス製の器枠６０を取り付けたものを示す。
【００１５】
図７には、図５の箱５０が挿入された側面図を示す。図７の７０が、アクリル板等で形成され、上部が開放された箱であり、内部にタブレット端末やスマホが収納されていて固定蓋が取り付けられている。７１はシールド袋の素材であるシールドメッシュを示す。
【００１６】
図８は、上記ＭＧネットの代わりにスクリーンメッシュタイプの導電布を用いたシールド袋ケースを示す。図４〜図７と構造は同じであるが、シールドメッシュ８０の素材が図１０に示されるスクリーンメッシュである点が異なる。図１０の８１の部分にもスクリーンメッシュが固定される。なお、図１１は、本考案の周辺シールド材として用いてもよい導電布の拡大図である。
【００１７】
図１２は、図１〜図３に示される、この考案のシールド操作盤が用いられるシールドボックスの応用例を示す。図１３に該シールドボックスの３面図を示す。
【００１８】
ボックスは「ドア付き」と「ドア無し」の２種類があり、これらボックスは必要に応じて連結して用いられる。
【００１９】
ボックスの寸法は、例えば、幅１ｍ、奥行き１ｍ、高さ１．５ｍであるが、寸法は必要に応じて決定され、ボックス内の収納装置（例えば、産業用ロボット）の大きさに応じて任意に定められる。
【００２０】
図１２のボックスは、上記ボックス内の収納装置に合わせて３連結のものが例示されているが、２連結のものでもよい。
【００２１】
シールドボックスは、底面以外の周辺壁面及び天井９２，９３，９４がシールドメッシュで覆われる。シールドメッシュの素材はポリエスエルメッシュに銅とニッケルとスズの合金をメッキしたものである。あるいは、上記シールドメッシュの素材は、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットや金属メッキされた導電布を用いてもよい。なお、ボックス底面は導電布を用いている。
【００２２】
図１２において、ボックス内には産業用ロボット等を設置し、ドアの左上の窓枠９１に本考案の操作盤をはめ込み取り付ける。
【産業上の利用可能性】
【００２３】
本考案のシールド構造は、電磁シールドされたタブレット端末やスマホのタッチパネルをシールド状態に保ったまま、タブレット端末やスマホの性能試験等が外部妨害電波を遮断した状態でシールドボックスの外部から簡単に操作できるので、産業上の利用性が高い。
【符号の説明】
【００２４】
１０      タブレット端末
１１      アクリルケース
１２      アクリルケース用導電生地
１３      導電生地装着済アクリルケース
１４      シールドメッシュ
１５      ステンレスバー
２０      シールドボックス操作盤
３０      シールドメッシュ
３１      タブレット端末
４０      シールドメッシュ
【図１】
0003205010.tif 000003
【図２】
0003205010.tif 000004
【図３】
0003205010.tif 000005
【図４】
0003205010.tif 000006
【図５】
0003205010.tif 000007
【図６】
0003205010.tif 000008
【図７】
0003205010.tif 000009
【図８】
0003205010.tif 000010
【図９】
0003205010.tif 000011
【図１０】
0003205010.tif 000012
【図１１】
0003205010.tif 000013
【図１２】
0003205010.tif 000014
【図１３】
0003205010.tif 000015